(57)【特許請求の範囲】
【請求項１】
外装を構成するシート体と、シート体の一部を収縮させる弾性部材と、着用者の足が貫通する一対のレッグ開口部と、を具備する使い捨てショーツであって、
前記シート体は、着用した際の胴周り方向において、継目のない部材で構成されており、
前記弾性部材は、前記シート体の略外周縁に沿って予め伸張された状態で張設され、
前記一対のレッグ開口部は、前記弾性部材の内側近傍で前記シート体の中心域より外方の位置に設けられており、
前記シート体に張設した弾性部材が収縮することによってウエスト開口部が形成されるものであり、
前記弾性部材は、予め伸張した状態で前記ウエスト開口部及び胴周りに複数本張設されていることを特徴とする使い捨てショーツ。
【請求項２】
前記シート体は外面シートと、該外面シートと略同形同大の内面シートと、から構成され、前記弾性部材が前記シート体の外周縁に沿って予め伸張された状態で、前記外面シートと内面シートとの間に張設され、該弾性部材の内側近傍で、前記シート体の中心域より外方の位置に一対のレッグ開口部を備えているものであって、前記シート体に張設した弾性部材が収縮してウエスト開口部が形成されるものであることを特徴とする請求項１に記載の使い捨てショーツ。
【請求項３】
前記ウエスト開口部の弾性部材は、前身ごろと後身ごろ、もしくは右身ごろと左身ごろのいずれか一方で、お互いに交差していることを特徴とする請求項１又は２に記載の使い捨てショーツ。
【請求項４】
前記ウエスト開口部の弾性部材は、前身ごろと後身ごろ、もしくは右身ごろと左身ごろのいずれか一方で、一点に交差又は重なっていることを特徴とする請求項１又は２に記載の使い捨てショーツ。
【請求項５】
前記弾性部材は、糸状ゴム、平ゴム又はリボン状の弾性体であることを特徴とする請求項１から４いずれか記載の使い捨てショーツ。
【請求項６】
前記シート体は、疎水性且つ通気性の不織布であることを特徴とする請求項１から５いずれか記載の使い捨てショーツ。
【請求項７】
前記シート体は、消臭剤を付加した不織布であることを特徴とする請求項６に記載の使い捨てショーツ。
【請求項８】
前記シート体は、芳香剤を付加した不織布であることを特徴とする請求項６に記載の使い捨てショーツ。
【請求項９】
前記不織布は、ポリオレフィン系樹脂の連続繊維群からなる不織布であることを特徴とする請求項６から８いずれか記載の使い捨てショーツ。
【請求項１０】
前記シート体は、股間部が液不透過性且つ透湿性のものであることを特徴とする請求項６から９いずれか記載の使い捨てショーツ。
【請求項１１】
メカニカルファスナーを備える生理用品もしくはその補助製品の取付け用ショーツであることを特徴とする請求項６から９いずれか記載の使い捨てショーツ。
【請求項１２】
通常の下着の内履き用の防汚用ショーツであることを特徴とする請求項１から９いずれか記載の使い捨てショーツ。
【請求項１３】
請求項１から１２いずれか記載の使い捨てショーツの製造方法であって、
少なくとも、下記（ａ）から（ｃ）の工程を含むことを特徴とする使い捨てショーツの製造方法。
（ａ）連続走行する外面シート上に、連続的に弾性部材を伸張した状態で張設し、連続する伸長弾性部材付きシート体を形成する伸長弾性部材付きシート体製造工程、
（ｂ）前記シート体に、前記弾性部材が張設されていない部分にレッグ用開口部の形成とシート体の外形を整形するためのトリミングするシート体整形加工工程、
（ｃ）前記シート体を切断して個々の使い捨てショーツを分離するショーツ分離工程。
【発明の詳細な説明】
【０００１】
【発明の属する技術分野】
本発明は、使い捨てショーツに関し、さらに詳しくは、胴周りに接合部を有さないショーツに関する。
【０００２】
【従来の技術】
従来の使い捨てショーツは、実公平３−４２６０公報等に記載されているように、使い捨て材料からなる前身ごろ片と股間片が連設された前身ごろ用シートと、後身ごろと股間片が連設された後身ごろ用シートと、を前身ごろ部、後身ごろ部及び股間部で縫着し、この縫着に際し、股間部に体液吸収材及び不透水性シート体を共に縫着するようにした構成が提案されている。
【０００３】
【発明が解決しようとする課題】
上記の従来の使い捨てショーツは、洗濯することなく使い捨てるので、特に、外出、旅行等に際しては、携帯して交換使用するのに適する。しかしながら、使い捨て材料からなる前身ごろ用シートと後身ごろ用シートを前身ごろ部、後身ごろ部及び股間部で縫着しているので、前身ごろ部、後身ごろ部、股間部に縫着による接合部を有することになる。この接合部はショーツの材料が重なり合っているので、嵩張っており、ショーツを折り畳む際に、この接合部が邪魔をして折り畳み難く、しかもコンパクトになり難い。また、接合部がズボンやスカート等の衣類着用時に衣類から浮き出して、シルエットを損ねる等の不都合があった。
【０００４】
本発明は、以上のような課題に鑑みてなされたものであり、その目的は、コンパクトに折り畳め、また、ズボン等の衣類着用時のシルエットに影響することのない、使い捨てショーツを提供することにある。
【０００５】
【課題を解決するための手段】
本発明は、使い捨てショーツを構成するシート体の外周縁ウエスト開口部に予め伸長させた弾性部材を連続して張設し、この伸長した弾性部材が縮むことでウエスト開口部を形成したことにより、胴周りに接合部を有しない使い捨てショーツを作り出すことに成功し、上記目的を達成した。
【０００６】
より具体的には、弾性部材が２つの波形からなるカーブを描きながら、この２つの波形が近接するあるいは接するあるいは交差することで、ショーツ成形時に弾性部材が実質的に連続するので、従来の使い捨てショーツのように、前身ごろ部、後身ごろ部、股間部を縫着して接合することなく、ウエスト開口部やレッグ開口部を形成することができることを見出して、本発明を完成するに至ったのである。
【０００７】
更に言えば、本発明に係る使い捨てショーツに関し、本発明は予め伸長させた弾性部材を、２つの波形で、しかもこれら２つの波形が近接するあるいは交差するあるいは接するようにして、走行するシート上に張設するという発想がないところに提供されたものである。
【０００８】
より具体的には、本発明は、以下のようなものを提供する。
【０００９】
（１）  外装を構成するシート体と、シート体の一部を収縮させる弾性部材と、着用者の足が貫通する一対のレッグ開口部と、を具備する使い捨てショーツであって、前記シート体が着用した際の胴周り方向において、継目のない部材で構成されていることを特徴とする使い捨てショーツを提供する。
【００１０】
本発明の使い捨てショーツによれば、シート体が、着用した際の胴周り方向において、継目のない部材で構成されている。このため、従来の使い捨てショーツのように前身ごろ部、後身ごろ部、股間部を縫着する必要がないので、胴周りに接合部を有しないことになる。
【００１１】
（２）  前記使い捨てショーツは、前記弾性部材が前記シート体の略外周縁に沿って予め伸張された状態で張設され、該弾性部材の内側近傍で、前記シート体の中心域より外方の位置に一対のレッグ開口部を備えているものであって、前記シート体に張設した弾性部材が収縮することによってウエスト開口部が形成されるものであることを特徴とする（１）に記載の使い捨てショーツを提供する。
【００１２】
本発明の使い捨てショーツによれば、弾性部材がシート体の略外周縁に沿って予め伸張された状態で張設されている。この弾性部材は予め伸張された状態で張設されているので、収縮するとシート体の外周縁が引っ張られて収縮し、リング状のウエスト開口部が形成されて、ショーツが作成されるので、胴周り方向他に接合部を有しないことになる。
【００１３】
（３）  前記シート体は外面シートと、該外面シートと略同形同大の内面シートと、から構成され、前記弾性部材が前記シート体の外周縁に沿って予め伸張された状態で、前記外面シートと内面シートとの間に張設され、該弾性部材の内側近傍で、前記シート体の中心域より外方の位置に一対のレッグ開口部を備えているものであって、前記貼り合わせ体に張設した弾性部材が収縮してウエスト開口部が形成されるものであることを特徴とする（１）又は（２）に記載の使い捨てショーツを提供する。
【００１４】
本発明の使い捨てショーツによれば、シート体を外面シートと内面シートとから構成し、これらシート間に外周縁に沿って予め伸張された弾性部材が張設されている。この弾性部材は予め伸張された状態で張設されているので、収縮するとシート体の外周縁が引っ張られて収縮し、リング状のウエスト開口部が形成されて、ショーツが作成されるので、胴周りに接合部を有しないことになる。
【００１５】
（４）  前記弾性部材は、予め伸張した状態でウエスト開口部及び胴周りに複数本張設されたものであることを特徴とする（１）から（３）いずれか記載の使い捨てショーツを提供する。
【００１６】
本発明の使い捨てショーツによれば、予め伸張した状態で弾性部材をウエスト開口部と胴周りに張設されている。このため、この弾性部材は予め伸張された状態で張設されているので、収縮するとシート体の外周縁が引っ張られて収縮し、リング状のウエスト開口部が形成されると共に、ウエスト開口部及び胴周りが弾性化され、体型に沿った形でフィットして装着できることになる。
【００１７】
（５）  前記ウエスト開口部の弾性部材は、前身ごろと後身ごろ、もしくは右身ごろと左身ごろのいずれか一方で、お互いに交差していることを特徴とする（４）に記載の使い捨てショーツを提供する。
【００１８】
本発明の使い捨てショーツによれば、ウエスト開口部の弾性部材は、夫々の弾性部材が前身ごろと後身ごろ、もしくは、右身ごろと左身ごろのいずれか一方で、交差する形で張設されている。このため、交差する位置で夫々の弾性部材が連続することになる。この連続した弾性部材が収縮することによって、リング状のウエスト開口部が形成され、接合部のないショーツとなる。尚、弾性部材の交差する部位が、前身ごろと後身ごろ、また、右身ごろと左身ごろのいずれであっても、シート体の外周縁に沿って弾性部材が張設されることになるので、同様にリング状のウエスト開口部が形成されて、接合部のないショーツを得ることができる。
【００１９】
（６）  前記ウエスト開口部の弾性部材は、前身ごろと後身ごろ、もしくは右身ごろと左身ごろのいずれか一方で、一点に交差又は重なっていることを特徴とする（４）に記載の使い捨てショーツを提供する。
【００２０】
本発明の使い捨てショーツによれば、ウエスト開口部の弾性部材は、夫々の弾性部材が前身ごろと後身ごろ、もしくは右身ごろと左身ごろのいずれか一方で、一点で交差又は重なった形で張設されている。このため、交差する位置で夫々の弾性部材が連続することになる。この連続した弾性部材が収縮することによって、リング状のウエスト開口部が形成され、接合部のないショーツとなる。尚、弾性部材の交差する部位が、前身ごろと後身ごろ、また、右身ごろと左身ごろのいずれであっても、シート体の外周縁に沿って弾性部材が張設されることになるので、同様にリング状のウエスト開口部が形成されて、接合部のないショーツを得ることができる。
【００２１】
（７）  前記弾性部材は、糸状ゴム、平ゴム又はリボン状の弾性体であることを特徴とする（１）から（６）いずれか記載の使い捨てショーツを提供する。
【００２２】
本発明の使い捨てショーツによれば、弾性部材が糸状ゴム、平ゴム又はリボン状の弾性体としている。このため、弾性部材は伸縮自在であるので、予め伸張した状態で張設しておけば、開放されると弾性部材が収縮するし、シート体の外周縁が弾性部材に引っ張られてリング状のウエスト開口部が形成され、接合部のないショーツとなる。
【００２３】
（８）  前記シート体は、疎水性且つ通気性の不織布であることを特徴とする（１）から（３）いずれか記載の使い捨てショーツを提供する。
【００２４】
本発明の使い捨てショーツによれば、シート体は、疎水性且つ通気性の不織布としている。このため、装着した際に肌触りがよい感触が得られると共に、通気性を有するので、着用していても蒸れることがない。
【００２５】
（９）  前記シート体は、消臭剤を付加した不織布であることを特徴とする（８）に記載の使い捨てショーツを提供する。
【００２６】
本発明の使い捨てショーツによれば、シート体の不織布に消臭剤を付加している。このため、ショーツに尿等の体液が染み付いたとしても消臭され、また、使用後に処分する際の不快臭もないので、取扱い易い。
【００２７】
（１０）  前記シート体は、芳香剤を付加した不織布であることを特徴とする（８）に記載の使い捨てショーツを提供する。
【００２８】
本発明の使い捨てショーツによれば、シート体の不織布に芳香剤を付加している。このため、ショーツに尿等の体液が染み付いたとしても芳香剤で臭いが打ち消され、使用後に処分する際の不快臭もないので、取扱い易い。
【００２９】
（１１）  前記不織布は、ポリオレフィン系樹脂の連続繊維群からなる不織布であることを特徴とする（８）から（１０）いずれか記載の使い捨てショーツを提供する。
【００３０】
本発明の使い捨てショーツによれば、ポリオレフィン系樹脂の連続繊維群からなる不織布としている。この不織布は、疎水性且つ通気性を有し、柔らかさを持ちながら、高強度で、且つ比較的安価であるので、装着した際に肌触りがよい感触が得られると共に、通気性を有するので、湿気が内側にこもらないので蒸れることがない。尚、この不織布としては、ポリプロピレン繊維からなるスパンボンド不織布、スパンボンド層とメルトブローン層とからなる不織布、ポリプロピレン及びポリエチレンからなるスパンボンド不織布等が挙げられる。
【００３１】
（１２）  前記シート体は、股間部が液不透過性且つ透湿性のものであることを特徴とする（８）から（１１）いずれか記載の使い捨てショーツを提供する。
【００３２】
本発明の使い捨てショーツによれば、シート体の股間部を液不透過性でかつ透湿性としている。このため、経血等の体液が漏れても滲み出る恐れがないと共に、湿気が内側にこもらないので蒸れることがない。尚、このシート体の股間部に液不透過性でかつ透湿性を付与するには、シート体の股間部分に液不透過性且つ蒸気透過性フィルム等のシートを挿入したり、液不透過性且つ蒸気透過性樹脂をラミネートしたりすることで可能である。更に、股間部の液不透過性層の着用者側にティッシュ、親水性不織布、エアレイドパルプ等の比較的薄い吸収層を設けてもよい。これを設けることにより、失禁による尿や経血等の体液の漏れを吸収することができることになる。
【００３３】
（１３）  メカニカルファスナーを備える生理用品もしくはその補助製品の取付け用ショーツであることを特徴とする（８）から（１２）いずれか記載の使い捨てショーツ。
【００３４】
本発明の使い捨てショーツによれば、シート体が不織布で構成されているので、メカニカルファスナーが付き易いため、股間部にメカニカルファスナーを備える陰唇間パットや失禁パットといった生理用品もしくはその補助製品が容易に止め付けることができ、生理用ショーツとして利用できる。
【００３５】
（１４）  通常の下着の内履き用の防汚用ショーツであることを特徴とする（１）から（１１）いずれか記載の使い捨てショーツを提供する。
【００３６】
本発明の使い捨てショーツによれば、接合部を有さないので、嵩張ることがなく、通常の下着の内履き用に適することができる。
【００３７】
（１５）  少なくとも、下記（ａ）から（ｃ）の工程を含むことを特徴とする使い捨てショーツを製造する製造方法を提供する。
（ａ）連続走行する外面シートに、連続的に弾性部材を伸張した状態で張設し、連続する伸長弾性部材付きシート体を形成する伸長弾性部材付きシート体製造工程、
（ｂ）前記シート体に、前記弾性部材が張設されていない部分にレッグ用開口部の形成とシート体の外形を整形するためのトリミングするシート体整形加工工程、
（ｃ）前記シート体を幅方向に切断して個々の使い捨てショーツを分離するショーツ分離工程。
【００３８】
本発明の使い捨てショーツの製造方法によれば、連続走行する外面シートに、連続的に弾性部材を伸張した状態で配設して連続するシート体を形成し、このシート体にレッグ開口部を形成すると共にシート体の外形を整形して、次いでこのシート体をシート体の幅方向に切断して個々のショーツを製造するものとした。
【００３９】
このため、弾性部材は連続的にシート体の外周縁に沿って連続した形で配設されるので、弾性部材が配設されたシート体を切断すると伸張した弾性部材が収縮してリング状のウエスト開口部が形成されることになる。従って、前身ごろ部、後身ごろ部、股間部を縫着する工程が不要で、生産性が向上する。
【００４０】
【発明の実施の形態】
次に、本発明の実施形態について、図を参照にしながら説明する。
【００４１】
図１は本発明に係る使い捨てショーツの第１の実施形態を示す斜視図であり、図２は本発明に係る使い捨てショーツの第１の実施形態を展開した状態を示す図で、（ａ）は展開平面図、（ｂ）は（ａ）のＸ−Ｘ’断面図であり、図３はシート体に張設された弾性部材の流れを示す部分平面図であり、図４は図２の変形例を示す展開図であり、図５は本発明の第２の実施形態の使い捨てショーツを展開した状態を示す図で、（ａ）は展開平面図、（ｂ）は（ａ）のＸ−Ｘ’断面図であり、図６は本発明の第３の実施形態の使い捨てショーツを展開した状態を示す図で、（ａ）は展開平面図、（ｂ）は（ａ）のＸ−Ｘ’断面図で、図７は本発明の使い捨てショーツを製造するフローを示す平面図である。
【００４２】
［第１の実施形態］
図１に示すように、本実施形態の使い捨てショーツ１は、着用者のウエスト開口部１０、胴周り１１及び脚周り１２が弾性化されたシート体２で構成されているものであり、具体的な構成を分かりやすく視覚化するために、図２において、ウエスト用の開口部を広げて平面状に展開した状態の平面展開図を示している。本実施形態の使い捨てショーツ１を構成するシート体２は、図２に示すように、略円形状の形状であって、外面シート３と内面シート４とこれらシート３，４の間に張設されたウエスト開口部の弾性部材５ａ，５ａ'及び胴周りの弾性部材５ｂ，５ｂ'とからなる。すなわち、該外面シート３と内面シート４との間に張設された弾性部材は、ウエスト開口部及び胴周りを弾性化させるため、該シート体２の外周縁に沿う形で、ウエスト開口部の右身ごろ域全周には複数本の弾性部材５ａが、左身ごろ域全周には複数本の弾性部材５ａ'が予め伸張された状態で配置されシート体２に接着固定された形で張設されている。また、胴周りの右身ごろ域全周には複数本の弾性部材５ｂが、左身ごろ全域には複数本の弾性部材５ｂ'が予め伸張された状態で張設されて、夫々ウエストギャザー及び胴周りギャザーを構成する。
【００４３】
尚、本実施形態では、シート体２として外面シート３と内面シート４からなり、これらのシート３，４間にウエスト開口部の弾性部材５ａ，５ａ'及び胴周りの弾性部材５ｂ，５ｂ'を張設しているが、外面シート３のみとして、この外面シート３の表面に帯状の弾性部材を外周縁に沿って張設してもよい。
【００４４】
前記シート体２は連続して供給される外面シート３上に、ウエスト開口部右身ごろ域全周に張設された複数本の弾性部材５ａと左身ごろ域全周に張設された複数本の弾性部材５ａ'とが夫々略サインカーブ状の波形を描きながら、お互いの波形が図３（ａ）に示すように、該弾性部材の一本づつが互いに交差して繋がった形で張設され、その上面に内面シート４が複合され、次いで弾性部材が交差する部位で個々に分断することによって形成される。この際、弾性部材５ａ，５ａ'は予め伸張された状態で張設される。これによって、弾性部材５ａ，５ａ'の夫々が前見ごろ部（腹部）と後見ごろ部（背部）で交差して連結され、外周縁に沿って連続するシート体となる。このため、ウエスト開口部に張設される弾性部材５ａ，５ａ'が収縮すると、シート体２の外周縁が引っ張られて連続したリング状のウエスト開口部１０が形成されることになる。
【００４５】
また、本実施形態では、ウエスト周りの弾性部材５ａ，５ａ'が交差して繋がった形になっているが、これに限定されず図５（ａ）に示すように、一点で交差又は重なって繋がった形で張設されてもよい。これは、図３（ｂ）に示すように、連続して供給される外面シート３上に２つの曲線が一点で交差する形で張設するか、図３（ｃ）に示すように、連続して供給される外面シート３上に２つの曲線が谷部と山部で接する形で張設するか、図３（ｄ）に示すように、連続して供給される外面シート３上に２つの曲線が谷部と山部とで近接する形で張設することによっても得られる。尚、本実施態様では、弾性部材の配設曲線は外面シートの外形を略円形状としたので、この円形状に沿ったサインカーブ状の波形形状としたが、これに限定されず、例えば図３（ａ）〜（ｅ）に示すような曲線や、外面シートの外形の形状に沿った形の曲線であればよい。例えば多角形の場合にはその多角形に応じた折れ線形状等であってもよい。
【００４６】
また、本実施形態では、ウエスト開口部１０の弾性部材５ａ，５ａ'が交差して繋がった形になっているが、これに限定されず図４に示すように、不連続（一部分離間）であってもよい。すなわち、ウエスト開口部の弾性部材５ａ，５ａ'を伸張状態で連続的に配置してシート体２に接着固定する際に、交差している部分は接着固定しないでおいて、連続するシート体をこの交差する部分で切断して個々のショーツとした際に、交差して配置した弾性部材５ａ，５ａ'が接着固定されていない部分で収縮して一部分が離間した状態となるようにしてもよい。尚、この場合、弾性部材５ａ，５ａ'は一部不連続となっているが、実質的には連続した状態でシート体２の外周縁に沿って張設されているので、ウエスト開口部の弾性部材５ａ，５ａ'が収縮すると、リング状のウエスト開口部１０が形成される。この場合には、交差する部分がなくなるため、交差している他の場合よりも、弾性部材の厚みが低減することができ、着用者が違和感を感じることがない。
【００４７】
一方、胴周りの弾性部材５ｂ，５ｂ'は各々前見ごろ部（腹部）と後見ごろ部（背部）で夫々の弾性部材が一本づつ交差された形で張設される。尚、この張設もウエスト開口部の弾性部材５ａ，５ａ'と同様な方法で配置され、接着固定することで行われる。また、その連結の仕方も、上記の様に夫々の弾性部材が一本づつ交差された形で張設されているが、これに限定されず、ウエスト開口部の弾性部材と同様に一本づつが互いに交差する、あるいは接する、あるいは近接する形で張設されてもよい。更に、ウエスト開口部の弾性部材と同様に交差する部分を接着固定しないで、不連続にしてもよい。
【００４８】
以上は、弾性部材が前身ごろ及び後身ごろで交差する場合について説明したが、この交差が左右身ごろであってもよい。この場合も、シート体２の外形は略円形であるので、本実施形態と同様の使い捨てショーツが形成される。
【００４９】
また、該シート体２のウエスト開口部の弾性部材５ａ，５ａ'と胴周りの弾性部材５ｂ，５ｂ'とは伸長度や応力が異なった状態で張設されるのが好ましい。すなわち、ウエスト開口部の弾性部材５ａ，５ａ'は伸長度や応力を大きくした状態で、また、シート体２の胴周りの弾性部材５ｂ，５ｂ'は、伸長度や応力を小さくした状態で張設されるのが好ましい。
【００５０】
上記のように、弾性部材の伸長度や応力をウエスト開口部と胴周りとで異なるように張設することで、着用者の体型によりフィットして装着できることになる。すなわち、ウエスト開口部は着用時にショーツがずり落ちない程度にきつく締め付けてフィットでき、胴周りは緩やかな状態でフィットできるので好ましい。このウエスト開口部や胴周りのフィット性を変える方法としては、弾性部材の伸長度を変える以外に、本数、張設する間隔、太さ、材質等を適宜選択することによっても得られる。
【００５１】
尚、本実施形態では、ウエスト開口部と胴周りに張設された弾性部材の伸張度や応力を夫々異なるものとしたが、同一の伸張度や応力であってもよい。
【００５２】
また、シート体２には、一対のレッグ開口部１３が形成されており、該レッグ開口部１３の股間領域側における側端部分には、脚部ギャザー形成用弾性部材５ｃが複数本張設されている。この構成の採用は、脚周りの密着性を高めるのに効果的である。
【００５３】
ここで、該弾性部材５としては、天然または合成ゴム製やポリウレタン製の糸状ゴム，平ゴム，リボン状の弾性体、熱収縮性素材、吸水収縮性繊維など、それぞれ伸縮自在の弾性を有するものであれば特に制限されない。
【００５４】
また、シート体２を構成する外面シート３、内面シート４は紙ないしは合成樹脂製不織布等使い捨てショーツに一般的に用いられている素材であって、柔軟性を有し、肌触りがよく、透湿性を有するものが使用できる。特に、柔軟性、肌触り感、強度面から不織布が好適である。より好ましくは、疎水性かつ通気性を有する不織布が好ましい。例えば、ポリプロピレン製等の繊維からなるスパンボンド不織布、スパンボンド層とメルトブレーン層からなる不織布、ポリエチレン，ポリプロピレン，ポリエチレンテレフタレート等の繊維よりなるスルーエアー不織布、ポイントボンド不織布、スパンレース不織布等が挙げられる。また、エラストマーやコポリマーを含んだ伸縮性や伸張性を有する不織布を用いることもできる。また、体臭や体液の臭いを消臭するために、不織布に活性炭やゼオライトなどの吸着剤やキチン、キトサン、カテキンなどの抗菌剤、あるいはリモネンなどの天然系芳香剤や合成芳香剤を付加して良い。
【００５５】
［第２の実施形態］
図５に第２の実施形態の使い捨てショーツの展開平面図を示している。尚、以下の実施形態では第１の実施形態と同一の構成には同一の符号を付して説明を省略する。
【００５６】
この第２の実施形態は、ウエスト開口部の弾性部材５ａ，５ａ'が夫々二つのサインカーブ状の波形を描きながら、図３（ｂ）に示すように、一点で交わる形で連結され、シート体２の外周縁に沿う形で連続して張設したものである。一方、胴周りの弾性部材５ｂ，５ｂ'も同じく一点で交わる形で連結された形で張設されている。この場合も、ウエスト開口部の弾性部材がお互いに連続しているので、弾性部材が収縮すると、シート体の外周縁が弾性部材に引っ張られて連続したリング状のウエスト開口部１０が形成される。
【００５７】
尚、本第２の実施態様も、弾性部材の配設曲線は外面シートの外形を略円形としたので、この円形に沿ったサインカーブ状の波形形状としたが、これに限定されず、例えば図３（ａ）〜（ｅ）に示すような曲線や、外面シートの外形の形状に沿った形の曲線であればよい。例えば多角形の場合にはその多角形に応じた折れ線形状等であってもよい。
【００５８】
尚、このウエスト開口部の弾性部材の連結の仕方として、上記実施形態における方法の他に、図３（ｃ）に示すように、ウエスト開口部の弾性部材５ａ，５ａ'が夫々の波形を描きながら一方の波形の谷部ともう一方の波形の山部とが一点で接するあるいは近接する形で連結してもよい。
【００５９】
また、ウエスト開口部の弾性部材と胴周りの弾性部材との波形を異なる形状として、ウエスト開口部の弾性部材の波形は一点で交差するようにし、胴周りの弾性部材の波形は谷部と山部で接するあるいは近接するようにして連続したもの（図示せず）であってもよい。また、この逆であってもよい。この場合には、ウエスト開口部の弾性部材と胴周りの弾性部材とは、夫々一点で交わった形で連続することになる。
【００６０】
尚、第１の実施形態で説明したように、ウエスト開口部の弾性部材５ａ，５ａ'及び胴周りの弾性部材５ｂ，５ｂ'を伸張状態で連続的に配置してシート体２に接着固定する際に、交差している部分は接着固定しないでおいて、連続するシート体をこの交差する部分で切断して個々のショーツとした際に、交差して配置したウエスト開口部の弾性部材５ａ，５ａ'及び及び胴周りの弾性部材５ｂ，５ｂ'が接着固定されていない部分で収縮して一部分が離間した状態となるようにしてもよい。尚、この場合、ウエスト開口部の弾性部材５ａ，５ａ'は一部不連続となっているが、実質的には連続した状態でシート体２の外周縁に沿って張設されているので、ウエスト開口部の弾性部材５ａ，５ａ'が収縮すると、リング状のウエスト開口部１０が形成される。この場合には、交差する部分がなくなるため、交差している他の場合よりも、弾性部材の厚みが低減することができ、着用者が違和感を感じることがない。
【００６１】
上記したいずれの連結の仕方であっても、ウエスト開口部に張設された弾性部材がシート体の外周縁に沿ってお互いに連続しているか、あるいは一部不連続な部分を有するが略連続した形になっているので、弾性部材が収縮すると、シート体の外周縁が弾性部材に引っ張られて連続したリング状のウエスト開口部が形成されるので、胴周りに接合部のないショーツを得ることができる。
【００６２】
［第３の実施形態］
図６に第３の実施形態の使い捨てショーツの展開平面図を示している。尚、以下の実施形態では第１の実施形態と同一の構成には同一の符号を付して説明を省略する。
【００６３】
次に、図６に第３の実施形態の使い捨てショーツの展開平面図を示すが、図１の実施態様の使い捨てショーツにおいて、ウエスト開口部の弾性部材５ａ，５ａ'を二段重ねにしてものである。このように二段重ねすることで、ウエストへの締め付けがきつくなり、よりフィット性が向上されるので、激しい動きに対しても使い捨てショーツがずり落ち難くなる。
【００６４】
シート体２の形状は、本発明のいずれの実施形態でも略円形を呈しているが、これに限らず、略三角形以上の多角形、例えば略四角形状，略六角形状，略八角形状等であってもよく、また、楕円形状であってもよい。この形状は着用対象者や使用用途により適宜選定すればよい。
【００６５】
尚、シート体は市販のライナーなどを共に用いてもよい。更に、本発明の使い捨てショーツをライナーの代わりに用い、布製のショーツと併用して用いてもよい。このように布製のショーツの内張りとして使用すると、布製のショーツが体液等で汚れるのを防止することができる。
【００６６】
また、本発明に係る使い捨てショーツは、いずれの実施形態においても接合部を有しないので、使用後に接合部を引き裂いて脱がせることができないため、少なくとも胴周りの一部に、引き裂き可能な手段を設けてもよい。この引き裂き可能な手段としては，例えば、シート体を貫通するミシン目を付設することや超音波による熱融解等を行なってシート体に引き裂き可能なダメージを付与することがあげられる。
【００６７】
本発明に係る使い捨てショーツは、いずれの実施形態においても前述の如く構成されているため、次のような優れた製品性を有している。まず、シート体の腹側部と背側部とを接合していないので、胴周り部の両側部のレッグ開口部からウエスト部に亘る接合部を有しない。このため、着用していても脚繰りに違和感を生ずることがない。また、接合部がないので、見た目がよく外観性に優れると共に、ズボン等の衣類を着用した際、接合部が浮き出ることがなく、シルエットに影響しない。
【００６８】
更に、コンパクトに折り畳みができるので、持ち運びに便利であると共に、使用後に処分する際も、小さく丸めて捨てることができる。
【００６９】
本発明は、この他、その基本的技術思想を逸脱しない範囲で種々設計変更することができる。
【００７０】
次に、本発明に係る使い捨てショーツで、ウエスト開口部及び胴周りの弾性部材が一点で交わるものについての製造方法の一実施態様（図５の平面展開図に示す実施形態）について図７を参照にしながら説明する。尚、使用する材料については、前述の実施形態の製品において説明した内容と同様であるので省略する。
【００７１】
本発明の使い捨てショーツは、図７に示す如く、下記▲１▼〜▲４▼に記載の（ａ）伸長弾性部材付きシート体製造工程、▲５▼に記載の（ｂ）シート体整形加工工程、▲６▼に記載の（ｃ）ショーツ分離工程により連続的に製造する。
【００７２】
▲１▼連続する外面シート１０１が、使い捨てショーツにおける前後身ごろあるいは左右身ごろを流れ方向として巻き出される。
【００７３】
▲２▼外面シートの流れ方向と直交する方向に揺動ガイド１０３ａ、１０３ａ'によって、連続するウエスト周り弾性部材１０２ａ、１０２ａ'が波形形状で、外面シート１０１上に張設され、塗布装置１０４により、ホットメルト型接着剤が外面シート１０１上に塗工される。尚、このホットメルト接着剤は、予め外面シート１０１に塗工してあってもよいし、弾性部材に塗工してもよい。更に、弾性部材を配設する部位の接着剤量を他の部位よりも多くしておくことが好ましい。
【００７４】
この際、二つの波形で張設される弾性部材１０２ａ，１０２ａ'は、図３（ｂ）に示すようにすべてが一点で交差するようにして張設される。尚、この弾性部材の張設はこれに限られるものでなく、図３（ａ）に示すように、夫々の弾性部材同士が交差するようにしてもよいし、図３（ｃ）に示すように、二つの波形が交差するのでなく、揺動ガイド１０３ａによって張設される弾性部材１０２ａの波形の谷部と、揺動ガイド１０３ａ'によって張設される弾性部材１０２ａ'の波形の山部とが一点で接するあるいは近接するようにしてもよい。
【００７５】
一方、胴周りの弾性部材１０２ｂ，１０２ｂ'は、別の揺動ガイド（図示せず）によって胴周りの弾性部材１０２ｂ，１０２ｂ'の内側近傍に略円状の形状で不連続に張設される。尚、この張設はウエスト開口部の弾性部材と同様に連続して供給されながら一点で交差する、複数点で交差する、一点で接するあるいは近接するのいずれかで張設してもよい。
【００７６】
更に、ウエスト開口部の弾性部材１０２ａ，１０２ａ'と胴周りの弾性部材１０２ｂ，１０２ｂ'との波形を異なる形状として、ウエスト開口部の弾性部材の波形は一点で交差するようにし、胴周りの弾性部材の波形は谷と山部で接するあるいは近接するようにして張設するといったように、異なった連結の方式で張設してもよい。
【００７７】
いずれにしても、この連結の方式は、ウエスト開口部に張設される弾性部材が外面シートの外周端に沿って連続するように張設されるのであれば、特に拘ることなくいずれの方式であってもよい。
尚、レッグ開口部の側端部分に張設される弾性部材については、図示していないが、ウエスト開口部及び胴周りに弾性部材が張設される際に、同時に張設すればよい。
【００７８】
▲３▼使い捨てショーツにおける前後身ごろあるいは左右身ごろを流れ方向として内面シート１０５が連続して巻き出される。
【００７９】
▲４▼弾性部材１０２ａ，１０２ａ'を外面シート１０１と内面シート１０５によりサンドイッチするように、両シート１０１，１０５を張り合わせ、連続走行のシート体１０６を形成する。
【００８０】
尚、▲３▼及び▲４▼の工程は、内面シート１０５を使用しない構成の場合には、省略してよい。
【００８１】
▲５▼連続走行のシート体１０６をロール式カッター１０７にてトリミングして略円形状のものが連続した連続体に整形し、レッグ開口部１０８が形成される。尚、このレッグ開口部１０８は、シート体１０６が前後身ごろを流れ方向として製造される場合には、図７で示すシート体整形加工工程のように、シート体１０６の線対称軸（シート体１０６の流れ方向）を対称軸として、対称な位置に形成する。一方、シート体１０６が左右身ごろを流れ方向として製造される場合には、シート体１０６の線対称軸に直交する方向（シート体１０６の流れ方向に直交する方向）の対称軸を対称軸として、対称な位置に形成すればよい（図示せず）。
【００８２】
▲６▼上記整形加工されたシート体１０６を、夫々のウエスト開口部の弾性部材１０２ａ，１０２ａ'が交差する位置でシート体１０６の幅方向で分断することによって、個々の使い捨てショーツを得る。
【００８３】
上記の本発明の製造方法によれば、弾性部材を伸長させて前後身ごろ又は左右身ごろを流れ方向に、二つの波形形状を描きながら、夫々の波形を構成する弾性部材を図３の如く、一点で交差させる、又は複数点で交差させる、又は一点で接するあるいは近接するようにして張設してシート体を形成するので、シート体の外周縁に張設された弾性部材は二つの波型が連続した形で張設される。この連続して形成された伸長弾性部材付きシート体を切断して個々のシート体とした場合、弾性部材が収縮して連続したリング状のウエスト開口部が形成されるので、従来のショーツように前身ごろ部、後身ごろ部、股間部で縫着して接合することが不要となる。このため、前身ごろ部、後身ごろ部、股間部を縫着する工程を省くことができ、生産性が向上する。
【００８４】
尚、本発明の使い捨てショーツ及びその製造方法は、上記の実施形態及び実施態様に制限されないことは言うまでもなく、本発明の使い捨てショーツは、本発明の趣旨を逸脱しない限り種々の変更が可能であり、また、本発明の製造方法の実施態様については、本発明の趣旨を逸脱しない限り種々の方法を選択することができる。
【００８５】
例えば、上記製造方法において、弾性部材他の構成材の接合方法としては、ホットメルト型接着剤やヒートシーラーのほか、超音波や圧着等の従来公知の方法を利用することができる。また、接着剤の塗工装置として、面塗工に適したスパイラルスプレーガンやメルトブローン法を応用したカーテンスプレー等のスプレーガン、線形上の塗工に適したビードノズル等の従来公知のものを利用することができる。また、シート体の整形としてロール式カッターの他に水圧カッター等の従来公知のものを利用することができる。また、使い捨てショーツの実施形態として、シート体が外面シートのみで構成されたものとしてもよい。
【００８６】
【発明の効果】
以上説明したように、本発明の使い捨てショーツは、シート体の外周縁ウエスト開口部の弾性部材が予め伸張した状態で連続した形で張設されているので、弾性部材が収縮するとシート体の外周縁が引っ張られて連続したリング状のウエスト開口部が形成される。従って、前後、左右の身ごろが連続しているため、従来の使い捨てショーツのように、前身ごろ部、後身ごろ部及び股間部を縫着することにより生ずる接合部を有しない。このため、着用していても脚繰りに違和感を生ずることがない。また、接合部がないので、見た目がよく外観性に優れる。
【００８７】
更に、接合部を有さない分、嵩張ることがないので、折り畳むと非常にコンパクトとなり、外出や旅行等に際して、携帯に便利であるだけでなく、使用後に処分する際、小さく丸めて捨てることができるのでゴミとしての量が少なくてすむ。
【００８８】
また、接合部を有さないので、ズボンやスカート等の衣類を着用時に、接合部が衣類から浮き出てくることなく、シルエットに影響しない。
【００８９】
また、本発明の製造方法によれば、ウエスト開口部の弾性部材の張設や、レッグ開口部の形成が同一方向の連続した流れで製造できるので、生産スピードを落とすことなく高速生産ができ、生産性に優れる。
【００９０】
また、連続して形成されたシート体を分断した場合、シート体に配置された弾性部材が連続しているため、弾性部材が収縮して連続したリング状のウエスト開口部が形成されたショーツになるので、従来のショーツにおける逢着する工程が不要となり、生産性が向上する。
【図面の簡単な説明】
【図１】  本発明に係る使い捨てショーツの第１の実施形態を示す斜視図である。
【図２】  本発明に係る使い捨てショーツの第１の実施形態を展開した状態を示す図で、（ａ）は展開平面図、（ｂ）は（ａ）のＸ−Ｘ’断面図である。
【図３】  シート体に張設された弾性部材の流れを示す部分平面図である。
【図４】  図２の変形例を示す展開図である。
【図５】  本発明の第２の実施形態の使い捨てショーツを展開した状態を示す図で、（ａ）は展開平面図、（ｂ）は（ａ）のＸ−Ｘ’断面図である。
【図６】  本発明の第３の実施形態の使い捨てショーツを展開した状態を示す図で、（ａ）は展開平面図、（ｂ）は（ａ）のＸ−Ｘ’断面図である。
【図７】  本発明の使い捨てショーツを製造するフローを示す平面図である。
【符号の説明】
１  使い捨てショーツ
２  シート体
３  外面シート
４  内面シート
５  弾性部材
（５ａ，５ａ'  ウエスト開口部の弾性部材、
５ｂ，５ｂ'  胴周りの弾性部材、
５ｃ  脚周りの弾性部材）
１０  ウエスト開口部
１３  レッグ開口部
１０１  外面シート
１０２ａ，１０２ｂ  弾性部材
１０５  内面シート
１０６  シート体
１０７  ロール式カッター
１０８  レッグ開口部
【図１】
0004252767.tif 000002
【図２】
0004252767.tif 000003
【図３】
0004252767.tif 000004
【図４】
0004252767.tif 000005
【図５】
0004252767.tif 000006
【図６】
0004252767.tif 000007
【図７】
0004252767.tif 000008